(57)【要約】【課題】アクセサリ機器を取り付けた状態で、撮像装置を手で把持したした場合でも前記アクセサリ機器などが手に当接することがなく、かつ、アクセサリ機器を取り付けた場合でも、手に作用する重量バランスが良好である撮像システムを提供する。【解決手段】グリップ部１ａで把持可能な撮像装置１と、アクセサリ機器２０と、シューアタッチメント３０とを備えた撮像システムであって、撮像装置１におけるグリップ部１ａより被写体側に寄った箇所に、シューアタッチメント３０を固定するアタッチメント固定部が設けられ、前記アタッチメント固定部に、シューアタッチメント３０が着脱可能に構成されている。アクセサリ機器２０を取り付けた際でも、シューアタッチメント３０やアクセサリ機器２０が手に当接することがなく、操作などに支障をきたすことがない。【選択図】図６
2010152185.tif 000002
【特許請求の範囲】
【請求項１】
グリップ部で把持可能な撮像装置と、
前記撮像装置で用いられるアクセサリ機器と、
前記アクセサリ機器を前記撮像装置に取り付けるシューアタッチメントと
を備えた撮像システムであって、
前記撮像装置における前記グリップ部より被写体側に寄った箇所に、シューアタッチメントを固定するアタッチメント固定部が設けられ、
前記アタッチメント固定部に、シューアタッチメントが着脱可能に構成されている
撮像システム。
【請求項２】
アタッチメント固定部を覆うカバーが撮像装置に開閉自在に設けられている撮像システム。
【請求項３】
前記シューアタッチメントは、前記アタッチメント固定部に取り付けられる本体係合部と、
前記アクセサリ機器を取り付け可能なアクセサリ機器取付部と、
前記本体係合部と前記アクセサリ機器取付部とをつなぐ接合部と
を有する請求項１または２に記載の撮像システム。
【請求項４】
前記撮像装置を被写体側から見て、前記アクセサリ機器取付部が、グリップ部を把持する手と前後に重なる位置、あるいは真上となる位置に配設されている請求項３に記載の撮像システム。
【請求項５】
前記アタッチメント固定部が、撮像装置のグリップ部が設けられている側面部の、前記グリップ部よりも被写体側の箇所に配設されている請求項１〜４の何れか１項に記載の撮像システム。
【請求項６】
前記アタッチメント固定部が、撮像装置の本体部分より外側に突出している突出部から反被写体側に寄った箇所に配設され、突出部からグリップ部にかけてなだらかにつなぐように前記カバーが形成されている請求項２に記載の撮像システム。
【発明の詳細な説明】
【技術分野】
【０００１】
本発明は、撮像装置にアクセサリ機器を取り付けるシューアタッチメントを備えた撮像システムに関する。
【背景技術】
【０００２】
撮像装置に、フラッシュ装置や、ライト装置、マイク装置等のアクセサリ機器を取り付けるアクセサリシューを備えたものは既に知られている。例えば、特許文献１には、図１２〜図１５に示すように、電子ビューファインダ（以下、ＥＶＦと略す）５１を操作者側である後方に引き出し自在に構成するとともに、このＥＶＦ５１の前部（被写体側の近傍箇所）に、アクセサリ機器５３を取り付け可能なアクセサリシュー５２を配設した撮像装置５０が開示されている。この撮像装置５０では、ＥＶＦ５１を操作者側に引き出すことで形成される凹部５４（図１４（ｂ）参照）に、アクセサリ機器５３の装着部５３ａを挿入してアクセサリ機器５３を前方にスライドさせることで、アクセサリシュー５２にアクセサリ機器５３の装着部５３ａを挿入、係合させて、アクセサリ機器５３を撮像装置５０に取り付けることができるよう構成している。この種の撮像装置５０では、撮像装置５０の上面部中央位置に、アクセサリシュー５２が配設されている。なお、図１５において、５５は、手を差し入れて撮像装置５０を把持するためのグリップ用ベルトであり、撮像する際には、グリップ用ベルト５５と撮像装置５０との間に手を差し入れて、撮像装置５０のグリップ部（撮像装置５０の本体部分における右側面から上面にかけての部分）を把持しながら操作する。また、５６は、アクセサリ機器５３を使用しないときに、アクセサリシュー５２の配設箇所を覆うカバーである。なお、この撮像装置５０は、ＤＶＤ等の円盤状の磁気記録媒体に撮像情報を記録する構成のものであるため、撮像装置５０の横幅が比較的大きい装置構成とされている。
【０００３】
また、アクセサリ機器を撮像装置に取り付けるためのシューアタッチメントを備えた撮像システムも知られている。例えば、図１６に示すように、このシューアタッチメント６１は正面視して略Ｌ字形状とされ、シューアタッチメント６１の底面側の一端部には、撮像装置６０を三脚台に固定するためなどに撮像装置６０の底面部に設けられる雌ねじ部に対して装着可能な雄ねじ部（図示せず）を備えている。そして、シューアタッチメント６１の上端部に設けたシュー（アクセサリ機器取付部）６２を介して、マイク装置等のアクセサリ機器６３を装着可能に構成したものがある（特許文献２等参照）。この種の撮像システムでは、操作者の手に当たらないように、シューアタッチメント６１が撮像装置６０より大きく側方（右側方または左側方）に避けた箇所において立設する姿勢に配設されている。
【特許文献１】特開２００５−１９１７００号公報
【特許文献２】特開平７−２２２０４０号公報
【発明の開示】
【発明が解決しようとする課題】
【０００４】
しかしながら、特許文献１に示されているような従来の撮像装置５０では、撮像装置５０の上面部中央にアクセサリシュー５２が配設されており、このアクセサリシュー５２にアクセサリ機器５３が装着されるため、記録媒体の小型化などにより撮像装置５０のコンパクト化が進むと、撮像装置５０を把持した際に、手先がアクセサリ機器５３に当接し、把持し難くなるなど、操作性が低下するという問題が発生していた。また、撮像装置５０を把持した状態では、把持部分（いわゆる撮像装置５０のグリップ部）よりも、アクセサリ機器５３の重心位置が、撮像装置５０の幅方向にずれるため、アクセサリ機器５３を取り付けていると重量バランスが悪くなり、この状態で長時間使用していると、手首等が疲れるなどの不具合を生じることがあった。
【０００５】
また、特許文献２に示されているような従来の撮像システムにおいては、図１６に示すように、シューアタッチメント６１が、撮像装置６０を把持する手の位置を大きく側方（右側方または左側方）に避けるように配設されているので、シューアタッチメント６１やアクセサリ機器６３が操作者の手には当接しない利点がある反面、アクセサリ機器６３の重心位置が左側または右側に大きく偏ってしまって、アクセサリ機器６３を取り付けた状態で把持している際の重量バランスが極めて悪くなるので、この状態で使用していると、手首等がひどく疲れるなどの不具合を生じることがあった。
【０００６】
本発明は、上記課題を解決するもので、アクセサリ機器を取り付けた状態で、撮像装置を手で把持した場合でも前記アクセサリ機器などが手に当接することがなく、かつ、アクセサリ機器を取り付けた場合でも、手に作用する重量バランスが良好である撮像システムを提供することを目的とするものである。
【課題を解決するための手段】
【０００７】
上記課題を解決するために本発明の撮像システムは、グリップ部で把持可能な撮像装置と、前記撮像装置で用いられるアクセサリ機器と、前記アクセサリ機器を前記撮像装置に取り付けるシューアタッチメントとを備えた撮像システムであって、前記撮像装置における前記グリップ部より被写体側に寄った箇所に、シューアタッチメントを固定するアタッチメント固定部が設けられ、前記アタッチメント固定部に、シューアタッチメントが着脱可能に構成されていることを特徴とする。
【０００８】
この構成により、シューアタッチメントを介してアクセサリ機器を取り付けるアタッチメント固定部が、グリップ部よりも被写体側に寄った箇所に設けられているので、シューアタッチメントおよびアクセサリ機器を取り付けた際でも、シューアタッチメントやアクセサリ機器が手に当接することがなく、操作などにも支障をきたすことがない。また、シューアタッチメントを介してアクセサリ機器を、グリップ部の近傍に取り付けることができるので、シューアタッチメントおよびアクセサリ機器を取り付けた際でも、アクセサリ機器の重心位置が、グリップ部から大きく外れなくなり、重量バランスを良好な状態に維持することができる。
【０００９】
また、本発明は、アタッチメント固定部を覆うカバーが撮像装置に開閉自在に設けられていることを特徴とする。この構成により、シューアタッチメントおよびアクセサリ機器を取り付けないときには、カバーを閉じてアタッチメント固定部を覆うことができて、撮像装置の外観品格の低下を防止することができる。
【００１０】
また、本発明は、前記シューアタッチメントは、前記アタッチメント固定部に取り付けられる本体係合部と、前記アクセサリ機器を取り付け可能なアクセサリ機器取付部と、前記本体係合部と前記アクセサリ機器取付部とをつなぐ接合部とを有することを特徴とする。
【００１１】
また、本発明は、撮像装置を被写体側から見て、前記アクセサリ機器取付部が、グリップ部を把持する手と前後に重なる位置、あるいは真上となる位置に配設されていることを特徴とする。この構成によれば、撮像装置を被写体側あるいは反被写体側に向く方向に見て、アクセサリ機器の重量がほぼ手の真上の位置から作用することとなり、この結果、重量バランスを極めて良好な状態に維持することができる。したがって、アクセサリ機器を取り付けた状態で長時間把使用した場合でも、手首等の疲れを最小限に抑えることができる。
【００１２】
また、本発明は、前記アタッチメント固定部が、撮像装置のグリップ部が設けられている側面部の、前記グリップ部よりも被写体側の箇所に配設されていることを特徴とする。
また、本発明は、前記アタッチメント固定部が、撮像装置の本体部分より外側に突出している突出部から反被写体側に寄った箇所に配設され、突出部からグリップ部にかけてなだらかにつなぐように前記カバーが形成されていることを特徴とする。この構成によって、突出部からグリップ部にかけてなだらかにつなぐカバーにより、撮像装置として違和感を生じさせないような外観を維持できる。また、アクセサリ機器を取り付けない場合には、カバーの外側箇所であるグリップ部よりも被写体側に手を移動させることも可能となり、操作性が向上する。
【発明の効果】
【００１３】
本発明によれば、シューアタッチメントを介してアクセサリ機器を取り付けるアタッチメント固定部を、グリップ部よりも被写体側に寄った箇所に設けたことにより、シューアタッチメントおよびアクセサリ機器を取り付けた際でも、シューアタッチメントやアクセサリ機器が手に当接することがなくなり、把持操作などにも支障をきたすことがなく、操作性を良好に維持できる。また、シューアタッチメントを介してアクセサリ機器を、グリップ部の近傍に取り付けることができるので、シューアタッチメントおよびアクセサリ機器を取り付けた際でも、アクセサリ機器の重心位置が、グリップ部から大きく外れることがなくなり、重量バランスを良好な状態に維持することができ、アクセサリ機器を取り付けた状態で長時間把使用した場合でも、手首等の疲れを最小限に抑えることができる。
【発明を実施するための最良の形態】
【００１４】
以下、本発明の実施の形態に係る撮像システムについて、図面を参照しながら説明する。ここで、図１および図２は、本発明の実施の形態に係る撮像システムの撮像装置を操作者側から被写体側に向けて斜めに見た（斜め後方から見た）斜視図、および被写体側から操作者側に向けて見た正面図を示す。なお、以下の説明においては、基本的に、被写体側（図１の紙面における右上）を前方、撮像装置を操作する操作者側（図１の紙面における左下）を後方と称し、被写体側を向いた状態で左となる側（図１の紙面における左上となる方向）を左側と称し、被写体側を向いた状態で右となる側（図１の紙面における右下となる方向）を右側と称す。
【００１５】
図１、図２において、本発明の実施の形態に係る撮像システムの撮像装置１は、前方（被写体側）に臨ませて撮像レンズ２が配設されているとともに、撮像装置１の本体部分には撮像素子や記録媒体等（図示せず）が内蔵されており、撮像情報を記録再生可能に構成されている。撮像装置１の前面部における撮像レンズ２より右側箇所には、静止画の撮像時等に使用するフラッシュ部３が右側方に突出された状態で配設されている。また、撮像装置１の後面上部には、撮像画像などを表示する電子ビューファインダ４が配設され、さらに、撮像装置１の左側面には、撮像画像や再生画像などを表示できる液晶モニター５が開閉可能に配設されている。なお、図１などにおいては、液晶モニター５を閉じた状態を示している。
【００１６】
また、撮像装置１の右側面下部における前側寄り箇所と後端部近傍箇所とには、手を差し入れて撮像装置１を把持するためのグリップ用ベルト６が係止されるグリップ用ベルト係止部７Ａ、７Ｂが設けられ、これらのグリップ用ベルト係止部７Ａ、７Ｂにわたって前後方向に延びる帯状のグリップ用ベルト６が掛け渡されている（図１、図４〜図６においては、グリップ用ベルト６を仮想線で示している）。そして、撮影する際には、図３に示すように、グリップ用ベルト６と撮像装置１の右側面部との間に手を差し入れて、撮像装置１のグリップ部（撮像装置１の右側面から上面における、撮像装置１の前後方向に対する中央部から後部にかけての部分）１ａを把持しながら撮影（または操作）するよう構成されている。なお、図１などに示すように、撮像装置１は、後端部右側上方に、撮影モードと再生モードとを切り換えるモード切換ダイヤル８を配設している。
【００１７】
図４〜図６、図７、図８に示すように、撮像装置１には、この撮像装置１で用いられるフラッシュ装置や、ライト装置、マイク装置等のアクセサリ機器２０（図６、図８においては、マイク装置の場合を図示している）を取り付けるために、アクセサリ機器２０を撮像装置１に取り付けるシューアタッチメント３０が撮像装置１に取り付け可能とされている。なお、これらの撮像装置１とアクセサリ機器２０とシューアタッチメント３０とにより、本発明の実施の形態に係る撮像システムが構成されている。
【００１８】
撮像装置１におけるグリップ部１ａより被写体側に寄った箇所、すなわち、グリップ部１ａよりも前方箇所に、シューアタッチメント３０を固定するアタッチメント固定部１１が設けられ（図４、図５、図９参照）、このアタッチメント固定部１１に、シューアタッチメント３０を着脱可能に構成している。このアタッチメント固定部１１の配設場所は、撮像装置１の本体部分より右側方に突出している突出部としてのフラッシュ部３から後方（反被写体側）に寄った箇所でもある。
【００１９】
図１、図３に示すように、アタッチメント固定部１１は、前後にスライド自在（開閉自在）に設けられているカバー１２により覆われるよう構成されており、このカバー１２はその閉鎖状態においては、突出部としてのフラッシュ部３の後面部分からグリップ部１ａにかけてなだらかに傾斜しながらつなぐ形状に形成されている。なお、カバー１２には、カバー１２の開動作を行い易くするための指当て部１２ａが形成されており、この指当て部１２ａなどを触ってカバー１２を後方にスライドさせることで、ワンタッチで、アタッチメント固定部１１を露出させることができるよう構成されている（図４参照）。また、シューアタッチメント３０を取り外した状態で、カバー１２の前端部がフラッシュ部３の後面部分に当接するまでカバー１２を前方にスライドさせることで、アタッチメント固定部１１がカバー１２により覆われて、アタッチメント固定部１１が隠れた状態となる（図１参照）。
【００２０】
図４、図９、図１０などに示すように、シューアタッチメント３０は、アタッチメント固定部１１に取り付けられる本体係合部３１と、アクセサリ機器２０を取り付け可能なアクセサリ機器取付部３２と、前記本体係合部３１とアクセサリ機器取付部３２とをつなぐ接合部３３とを有する。また、図８に示すように、撮像装置１を前後方向（反被写体側あるいは被写体側に向く方向）に見て、シューアタッチメント３０のアクセサリ機器取付部３２が、グリップ部１ａを把持する手と重なる位置（或いは若干真上となる位置）に配設されている。
【００２１】
ここで、シューアタッチメント３０の本体係合部３１が取り付けられるアタッチメント固定部１１は、図９（ｂ）、図１０（ａ）などに示すように、撮像装置１の側面部１ｃに固定され、所定幅で上下に平板状に延びる基台板状部１１ａと、基台板状部１１ａの前辺部分および後辺部分とからそれぞれ、後方（前辺部分より後方）と前方（後辺部分より前方）とに鉤状に屈曲された一対の鉤状屈曲部１１ｂ、１１ｃとからなる平面視略Ｃの字形状とされている。また、このアタッチメント固定部１１に装着される本体係合部３１は、概略的には、前後方向に対して所定幅で、上下に平板状に延びる挿入部３１ａと、この挿入部３１ａの上方に厚肉段付き形状に形成されて、鉤状屈曲部１１ｂ、１１ｃの上端に当接することでアタッチメント固定部１１の下方への挿入位置を規制する挿入位置規制部３１ｂ（鉤状屈曲部１１ｃに当接する箇所は図示していない）と、前記挿入部３１ａよりも下方に延びて、その下端部が後方に突出する爪部３１ｃと、前記挿入部３１ａと爪部３１ｃとの間に形成された窪み部３１ｄとを有する。そして、このシューアタッチメント３０の本体係合部３１は、その挿入部３１ａが、アタッチメント固定部１１の基台板状部１１ａと鉤状屈曲部１１ｂ、１１ｃとの間に挿入されるように、シューアタッチメント３０が下方に移動されて取り付けられる。
【００２２】
さらに、撮像装置１の右側面におけるアタッチメント固定部１１の下方には、前後方向に出退自在のロック部材１３が、その先端の爪部１３ａで、本体係合部３１の爪部３１ｃに係合可能な姿勢で配設されている。ストッパ１３は、図示しないスプリングなどの付勢手段により、本体係合部３１の爪部３１ｃとその先端の爪部１３ａとが係合するように、前方に向かって付勢されている。また、ロック部材１３の一部に一体形成されたロック解除レバー１３ｂが、撮像装置１の右側面に形成された窓部より露出されており、このロック解除レバー１３ｂを後方に移動させるよう操作して、ロック状態を解除可能に構成されている。
【００２３】
図１０（ａ）〜（ｄ）に示すように、アタッチメント固定部１１に、シューアタッチメント３０の本体係合部３１が挿入されると、まず、本体係合部３１の爪部３１ｃに形成された傾斜面と、ロック部材１３の爪部１３ａに形成された傾斜面とが当接し、ロック部材１３は付勢手段の付勢力に抗して、一時的に後方に移動される。この後さらに、シューアタッチメント３０がさらに押し下げられることで、図１０（ｅ）に示すように、ロック部材１３の爪部１３ａが、本体係合部３１の爪部３１ｃを乗り越えて窪み部３１ｄに嵌まり込み、この状態で、ロック部材１３の爪部１３ａと本体係合部３１の爪部３１ｃとが、上下から係合した状態となり、シューアタッチメント３０の本体係合部３１が、アタッチメント固定部１１から離脱しないロック状態となるよう構成されている。
【００２４】
図４〜図１０に示すように、シューアタッチメント３０の接合部３３は、本体係合部３１の前辺部分より右側に突出した状態で上方に延び、この上端部にアクセサリ機器取付部３２が設けられている。アクセサリ機器取付部３２は、シューアタッチメント３０の接合部３３の上端部にから前方に向けて水平に平板状に延びる基台板状部３２ａと、基台板状部３２ａの左辺部分および右辺部分とからそれぞれ、上方に所定隙間をあけて右側（左辺部分より右側）と左側（右辺部分より左側）とにそれぞれ鉤状に屈曲された鉤状屈曲部３２ｂ、３２ｃと、アクセサリ機器取付部３２の前辺部分から上方に立設する規制部３２ｄ（図９（ａ）参照）などを有し、基台板状部３２ａと左右の鉤状屈曲部３２ｂ、３２ｃとにより、正面視して略Ｃの字形状とされている。そして、アクセサリ機器２０の下端部に設けられた平板状部２１が、アクセサリ機器取付部３２の基台板状部３２ａと鉤状屈曲部３２ｂ、３２ｃとの間に挿入された状態で、アクセサリ機器２０がシューアタッチメント３０に取り付けられる。
【００２５】
上記構成において、アクセサリ機器２０を取り付ける必要がないときには、シューアタッチメント３０もアタッチメント固定部１１から取り外されており、図１に示すように、アタッチメント固定部１１の箇所はカバー１２により覆われて、外部には露出していない。したがって、不要なアタッチメント固定部１１が外観上隠れた状態となって、撮像装置１の外観品格が損なわれないように図られている。また、この場合に、アタッチメント固定部１１を覆うカバー１２が、側方に突出しているフラッシュ部３からグリップ部１ａにかけてなだらかにつなぐように形成されているので、撮像装置１の外観品格が極めて良好に維持されており、違和感を生じさせないようになっている。
【００２６】
一方、上記構成において、アクセサリ機器２０を取り付ける場合には、まず、指当て部１２ａに指を当てるなどして、カバー１２を後方にスライドさせて、アタッチメント固定部１１を露出させる。次に、シューアタッチメント３０の本体係合部３１を、アタッチメント固定部１１に挿入させて取り付け、この後、シューアタッチメント３０のアクセサリ機器取付部３２に、アクセサリ機器２０の平板状部２１を挿入させて取り付ける。このように、極めて容易にカバー１２を開けてアタッチメント固定部１１を露出させることができるとともに、このアタッチメント固定部１１に、ワンタッチでシューアタッチメント３０を取り付けることができ、さらに簡単に、アクセサリ機器２０を取り付けることができ、操作性に優れる。
【００２７】
また、シューアタッチメント３０の本体係合部３１を、アタッチメント固定部１１に挿入させるだけで、ロック部材１３の爪部１３ａと本体係合部３１の爪部３１ｃとが係合して、アタッチメント固定部１１から離脱しないロック状態となるので、シューアタッチメント３０を一旦取り付けると、不用意にシューアタッチメント３０が外れることが無く、安全性が良好に保たれる。なお、シューアタッチメント３０を取り外す際には、ロック部材１３のロック解除レバー１３ｂを後方に引き寄せてロック状態を解除しながら、シューアタッチメント３０を上方に引き抜くことで、容易に取り外すことができる。
【００２８】
また、上記構成によれば、シューアタッチメント３０を介してアクセサリ機器２０を取り付けるアタッチメント固定部１１が、グリップ部１ａよりも前方（被写体側）に寄った箇所に設けられているので、図１１に示すように、シューアタッチメント３０およびアクセサリ機器２０を取り付けた際でも、シューアタッチメント３０やアクセサリ機器２０が手に当接することがなく、把持操作などにも支障をきたすことがない。また、シューアタッチメント３０を介してアクセサリ機器２０を、グリップ部１ａの近傍に取り付けたので、シューアタッチメント３０およびアクセサリ機器２０を取り付けた際でも、アクセサリ機器２０の重心位置が、グリップ部１ａから大きく外れることがなくなり、重量バランスを良好な状態に維持することができる。特に、本発明では、図８に示すように、撮像装置１を正面視して（反被写体側に向く方向に見て）、シューアタッチメント３０のアクセサリ機器取付部３２が、グリップ部１ａを把持する手と重なる位置（或いは若干真上となる位置）に配設されているので、アクセサリ機器２０の重量がほぼ手の位置、または手の真上の位置から作用することとなり、この結果、重量バランスを極めて良好な状態に維持することができ、したがって、アクセサリ機器２０を取り付けた状態で長時間把使用した場合でも、手首等の疲れを最小限に抑えることができる。
【００２９】
なお、図示していないが、アクセサリ機器２０として、マイク装置を装着する場合には、撮像装置１に設けられるマイク端子と前記マイク装置とが接続コードで接続するよう構成されているが、これに限るものではない。また、アクセサリ機器２０として、フラッシュ装置等も装着可能にすべく、アタッチメント固定部１１やシューアタッチメント３０の本体係合部３１、シューアタッチメント３０のアクセサリ機器取付部３２やアクセサリ機器２０の平板状部２１に、互いに接触する接触端子を設けて、別途接続コードなどを接続しなくても、シューアタッチメント３０およびアクセサリ機器２０を取り付けた際に、端子部同士が接触して、導通するよう構成してもよい。
【産業上の利用可能性】
【００３０】
本発明は、撮像装置に、アクセサリ機器を取り付けるシューアタッチメントを備えた各種の撮像システムに適用することが可能である。
【図面の簡単な説明】
【００３１】
【図１】本発明の実施の形態に係る撮像システムの撮像装置を操作者側から被写体側に向けて斜めに見た（斜め後方から見た）斜視図
【図２】同撮像システムの撮像装置を被写体側から操作者側に向けて見た正面図
【図３】同撮像システムの撮像装置を操作者が把持した状態を示す斜視図
【図４】同撮像システムの撮像装置にシューアタッチメントを取り付けようとする状態を示す斜視図
【図５】同撮像システムの撮像装置にシューアタッチメントを取り付けた状態を示す斜視図
【図６】撮像装置にシューアタッチメントおよびアクセサリ機器を取り付けた、本発明の実施の形態に係る撮像システムを示す斜視図
【図７】同撮像システムの撮像装置にシューアタッチメントを取り付けた状態を示す正面図
【図８】撮像装置にシューアタッチメントおよびアクセサリ機器を取り付けた、本発明の実施の形態に係る撮像システムを示す正面図
【図９】（ａ）は同撮像システムのアタッチメント固定部、ロック部材およびシューアタッチメントなどを示す要部拡大側面図、（ｂ）は図９（ａ）のIXｂ−IXｂ線矢視断面図、（ｃ）は図９（ａ）のIXｃ−IXｃ線矢視断面図
【図１０】（ａ）、（ｃ）、（ｅ）はそれぞれ同撮像システムのアタッチメント固定部にシューアタッチメントを挿入する状態（工程）を示す側面図、（ｂ）は図１０（ａ）のXｂ−Xｂ線矢視断面図、（ｄ）は図１０（ｃ）のXｄ−Xｄ線矢視断面図、（ｆ）は図１０（ｅ）のXｆ−Xｆ線矢視断面図
【図１１】撮像装置にシューアタッチメントおよびアクセサリ機器を取り付けた、本発明の実施の形態に係る撮像システムを示す斜視図で、同撮像システムの撮像装置を操作者が把持した状態
【図１２】従来の撮像装置の斜視図
【図１３】同従来の撮像装置の平面図
【図１４】（ａ）および（ｂ）はそれぞれ同従来の撮像装置にアクセサリ機器を取り付ける際の工程を示す要部拡大部分切欠側面図
【図１５】同従来の撮像装置の斜視図で、同撮像装置を操作者が把持した状態
【図１６】他の従来の撮像装置の斜視図
【符号の説明】
【００３２】
１      撮像装置
１ａ    グリップ部
２      撮像レンズ
３      フラッシュ部
６      グリップ用ベルト
１１    アタッチメント固定部
１２    カバー
１３    ロック部材
２０    アクセサリ機器
３０    シューアタッチメント
３１    本体係合部
３２    アクセサリ機器取付部
３３    接合部
【図１】
2010152185.tif 000003
【図２】
2010152185.tif 000004
【図３】
2010152185.tif 000005
【図４】
2010152185.tif 000006
【図５】
2010152185.tif 000007
【図６】
2010152185.tif 000008
【図７】
2010152185.tif 000009
【図８】
2010152185.tif 000010
【図９】
2010152185.tif 000011
【図１０】
2010152185.tif 000012
【図１１】
2010152185.tif 000013
【図１２】
2010152185.tif 000014
【図１３】
2010152185.tif 000015
【図１４】
2010152185.tif 000016
【図１５】
2010152185.tif 000017
【図１６】
2010152185.tif 000018